(57)【特許請求の範囲】
【請求項１】
毛束が植毛されるヘッドと当該ヘッドに一体に形成された柄とを有する歯ブラシ本体を備えていると共に、前記ヘッドに植毛された毛束からなる刷毛部を備えている歯ブラシであって、
前記柄は、前記毛束が植毛された前面側に前面側表面を有すると共に当該前面とは反対側に背面側表面を有する板状の挟持部を備えており、
前記柄の長さは、前記前面側表面及び前記背面側表面に指を当接させて前記挟持部を保持した状態で前記柄の後端部が手の中に納まる長さであり、
前記挟持部は、前記前面側表面に親指を当接させると共に前記背面側表面に中指を当接させたときに人差し指と相対向する一方側の縁部に、人差し指の指先を当接させることが可能な凹形状面を備えており、
当該凹形状面よりも前端側の、人差し指の指先を当接させることが可能な位置にヘッド側膨出部が形成されており、
当該ヘッド側膨出部は、当該ヘッド側膨出部から前記刷毛部の挟持部側端部までの距離が人差し指の先端から末節骨の後端位置までの長さより短くなる位置に形成されている歯ブラシ。
【発明の詳細な説明】
【技術分野】
【０００１】
本発明は、歯ブラシに関する。
【背景技術】
【０００２】
一般的に用いられている歯ブラシとして、毛束が植毛されたヘッドと、当該ヘッドに一体的に形成された柄の部分とからなるものがある（特許文献１参照）。
【０００３】
そして、上記歯ブラシは、歯磨きの際、歯ブラシの柄の部分を親指以外の指と手のひらで握るパームグリップ法や、柄の部分を鉛筆を持つように把持するペングリップ法によって把持される。上記歯ブラシの柄の部分の長さは、手のひらの幅長よりも長くなっており、歯磨きを行う者は、片方の手でしっかりと柄の部分を把持した状態で歯磨きを行うことができるようになっている。
【特許文献１】特開２００６−８１７６０号公報
【発明の開示】
【発明が解決しようとする課題】
【０００４】
ところで、近年、歯や歯茎を大切にする意識が高まっている。これに伴い、職場やレストランなど、家庭以外の場所で歯磨きを行いたいと考える者が増えつつある。
【０００５】
ところが、歯磨き行為は、通常、家庭の洗面所で行われる私的行為であるところ、職場やレストランの洗面所は不特定多数の者が同時に利用する公共スペースであるので、歯磨きしたい者は、歯磨きしたいとの思いがある反面、実際に公共スペースで歯磨きを行えば他者に不愉快な思いをさせるのではないかと憂慮する思いもあり、実際には歯磨きを躊躇してしまいがちである。
【０００６】
本発明は、このような問題点に鑑みてなされたものであり、職場やレストランの洗面所など、不特定多数の者が同時に利用する公共スペースにおける歯磨きに適しており、しかも実際の歯磨きのときに、安定した状態で歯ブラシを保持できると共に、歯ブラシのヘッドの向きなどの状態の調整が容易である歯ブラシを提供することを課題とする。
【課題を解決するための手段】
【０００７】
本発明は、上記課題を解決するものであり、毛束が植毛されるヘッドと当該ヘッドに一体に形成された柄とを有する歯ブラシ本体を備えていると共に、前記ヘッドに植毛された毛束からなる刷毛部を備えている歯ブラシであって、前記柄は、前記毛束が植毛された前面側に前面側表面を有すると共に当該前面とは反対側に背面側表面を有する板状の挟持部を備えており、前記柄の長さは、前記前面側表面及び前記背面側表面に指を当接させて前記挟持部を保持した状態で前記柄の後端部が手の中に納まる長さであり、前記挟持部は、前記前面側表面に親指を当接させると共に前記背面側表面に中指を当接させたときに人差し指と相対向する一方側の縁部に、人差し指の指先を当接させることが可能な凹形状面を備えており、当該凹形状面よりも前端側の、人差し指の指先を当接させることが可能な位置にヘッド側膨出部が形成されており、当該ヘッド側膨出部は、当該ヘッド側膨出部から前記刷毛部の挟持部側端部までの距離が人差し指の先端から末節骨の後端位置までの長さより短くなる位置に形成されている歯ブラシである。
【発明の効果】
【０００８】
本発明に係る歯ブラシでは、歯ブラシを保持したときに、柄の後端部（後端側全体）が手の中に納まる。つまり、柄の後端を手で覆うことができる。歯磨きのとき、歯ブラシのヘッドは口の中であるので、本発明にかかる歯ブラシを用いれば、歯ブラシのほとんどの部分が口や手で覆われることになり、歯ブラシの外界への露出が防止される。このように、本発明にかかる歯ブラシは、目立たない状態で歯磨きを行うことができるものであり、公共スペースにおいて歯磨きを行うための歯ブラシとして好適である。
【０００９】
また、柄の前面側に親指当接面（前面側表面）があり、背面側に背側指当接面（背面側表面）があるので、親指当接面に親指を当て、背側指当接面に中指または人差し指を当てて、しっかりと柄を挟みつけることにより、指だけで安定した状態で歯ブラシを保持することができる。安定した状態で保持できれば、実際の歯磨きのときに、歯ブラシのヘッドの状態を調整することが容易であり、歯磨き効率が向上する。
【発明を実施するための最良の形態】
【００１０】
以下、本発明の実施形態に係る歯ブラシについて説明する。
【００１１】
本発明の実施形態に係る歯ブラシは、ヘッドの部分と当該ヘッドに一体に形成された柄を有する歯ブラシ本体とを備えていると共に、ヘッドに植毛された毛束からなる刷毛部を備えている歯ブラシであって、柄は、毛束が植毛された前面側に形成され、前記歯ブラシを保持する親指が当接される親指当接面と、前面とは反対の背面側に形成され、親指に対向する指が当接される背側指当接面と有する挟持部を備えており、当該柄の長さは、歯磨きを行うために親指当接面及び背側指当接面に指を当接させて挟持部を保持した状態で柄の後端部が手の中に納まる長さである歯ブラシである。
【００１２】
このような歯ブラシでは、親指、人差し指、中指を用いて歯ブラシを保持したときに、柄の後端側の部分全体を手の中に納めることができ、この部分を手で覆った状態で歯磨きすることができる。したがって、当該歯ブラシを用いれば、目立たない状態で歯磨きを行うことができる。このように当該歯ブラシは、公共スペースにおいて歯磨きを行うための歯ブラシとして好適である。
【００１３】
このように、本発明に係る歯ブラシは、従来の歯ブラシ、具体的には柄の部分を手全体で保持するパームグリップタイプのものや、鉛筆を持つようにして保持するペングリップタイプのものとは、形状が全く異なっており、持ち方が全く異なっている。そこで、本発明の歯ブラシを安定した状態で保持できる歯ブラシ構造、特に柄の部分の構造を工夫した。本発明の実施形態に係る歯ブラシは、柄の前面側に前面当接面があり、背面側に背側指当接面があるので、前面当接面に親指を当て、背側指当接面に中指または人差し指を当てて、しっかりと挟みつけることにより、指だけで歯ブラシを安定した状態で保持することができる。親指、人差し指、中指等の指だけで歯ブラシを安定した状態で保持できれば、手首よりも先の手の部分だけを揺動させることによって、歯ブラシのヘッドの状態、すなわちヘッドやヘッドの刷毛部の毛の向きや位置などの状態を調整したり、ヘッドを往復運動させたりすることができる。つまり、本発明の実施形態に係る歯ブラシによれば、手の小さい動きで歯ブラシを操作して歯磨き動作を行うことができ、しっかりと歯磨きすることができる。また、手の動きは小さくてよいので、手が疲れにくく歯磨き効率が向上する。
【００１４】
なお、本発明の実施形態に係る歯ブラシは、指だけで挟持部を挟持して歯ブラシを保持する構造になっているので、安定した状態で歯ブラシを保持することができるにもかかわらず、刷毛部を歯に強く押し付けにくい構造である。つまり、この歯ブラシは、歯磨きのとき歯や歯茎に過剰な力が加わることをより効果的に防止できるものであるということができる。
【００１５】
親指当接面及び背側指当接面は、各当接面に当接される指の指先が当接される面であることが好ましい。
【００１６】
歯ブラシを指先だけで保持する構造であると、実際の歯磨きのとき、手首より先の部分を揺動させる動作に加え、指操作をより容易に行うことができ、手の揺動動作と指操作とによって歯ブラシのヘッドや刷毛部の向きなどの状態を容易に調整することができる。ここで、指操作とは、指を動かして歯ブラシのヘッドや刷毛部の向きなどのヘッドの状態を操作することであり、例えば、指の各関節を屈伸させたり、指を揺動させたりして、親指の指先と、背側指当接面に当接させた人差し指や中指などの指の指先の相互位置関係を変化させることによって歯ブラシのヘッドや刷毛部の向きや位置などの状態を操作し、調整することである。このようにして、ヘッド部分の状態を調整できれば、歯磨きのとき、より細かい歯ブラシ操作を行うことができ、歯磨き効率をより向上させることができる。
【００１７】
また、柄としては、当該柄の親指当接面に親指を当接させると共に背側指当接面に中指を当接させたときに人差し指と相対向する一方側に、人差し指の指先を当接させることが可能な人差し指当接部を備えているものでもよい。
【００１８】
人差し指当接部があれば、親指、中指、人差し指の３本の指を用いて歯ブラシを保持することができるので、さらに安定した状態で歯ブラシを保持することができる。また、これらの３本の指を用いて歯ブラシを保持することができれば、さらに細かい指操作を行うことができるようになり、より細かい歯ブラシの操作をより容易に行うことができるので、さらにしっかりと歯磨きすることができ、歯磨き効率を向上させることができる。
【００１９】
人差し指当接部としては、例えば、柄の背側の面であって、背側指当接面よりもさらに一方側に位置する背側人差し指当接面や、背側当接面の斜めヘッド側（一方側であり、かつヘッド側）に位置する背側人差し指当接面を挙げることができる。この他にも、人差し指当接部としては、例えば、柄の一方側の縁部に設けられたヘッド側膨出部、別言すれば一方側の縁部から外方に突出するヘッド側膨出部を挙げることができる。このような人差し指当接部に人差し指を当接させた状態で、人差し指から人差し指当接部に加える力の大きさや向きを調整することによって、歯ブラシのヘッドや刷毛部の向きや位置などの状態を調整する操作を容易に行うことができる。特に、人差し指当接部がヘッド側膨出部のような膨出形状部であると、人差し指から人差し指当接部に加える力の大きさや向きの調整が容易であるので、上記操作がより容易である。したがって、この点で、膨出形状は、人差し指当接部の形状としてより好ましいということができる。
【００２０】
そして、挟持部は、前面側に親指当接面を有し、背面側に背側指当接面を有する板状の部材であるものが好ましい。
【００２１】
このように、挟持部が板状の部材であれば、親指当接面と背側指当接面とを親指と人差し指や中指とで挟持部を挟んだとき、何回挟み直したとしても、歯ブラシのヘッドや刷毛部の、手（特に親指）を基準とする向きが安定する。したがって、本発明の歯ブラシを使い慣れるに従って、さらに細かい歯ブラシの操作をより容易に行うことができるようになり、よりしっかりと歯磨きでき、歯磨き効率がより向上する。そして、挟持部が板状であれば、円筒形など板状でない場合と比較して、よりしっかりと挟持部を挟みつけることができ、指の挟持による歯ブラシ保持の安定性がより向上する。
【００２２】
また、挟持部が板状であると、挟持部を指で安定して保持する状態を維持しつつ、指操作によって歯ブラシのヘッドや刷毛部の向きや位置の調整をより容易に行うことが可能になる。例えば、歯ブラシの挟持部を指で挟んで歯ブラシを保持しているとする。ここで、当該挟持部が板状ではなく円筒形状であれば、指操作を行って挟持部を回転させることによって、歯ブラシのヘッドや刷毛部の向きを容易に変更することができる。ところが、このようにしてヘッド等の向きを変更すると、挟持部を挟んでいる指が円筒形の挟持部の表面を転がることになる。従って、当初、指の腹の部分（指掌部）で挟持部を挟んでいたとしても、ヘッド等の向きの変更後は、指の腹以外の部分で挟持部を挟んだ状態になりやすい。そして、このように、指の腹以外の部分で挟持部を挟んで歯ブラシを保持する状態になると、歯ブラシ保持状態の安定性が低下する。この点、挟持部が板状である場合、挟持部を挟んでいる指について指操作を行うと、挟持部は回転せず、指操作された指は挟持部の表面すなわち親指当接面や背側指当接面の表面をずれるように移動することになる。そして、挟持部を挟んでいる指が当接面の表面をずれるように移動すると、指の腹で挟持部を挟持する状態は維持されつつ、挟持状態は少しずつ変化し、歯ブラシのヘッドや刷毛部の向きや位置等の状態が変化する。このように、本発明の実施形態に係る歯ブラシによれば、指の腹で安定して挟持部を挟持した状態を維持しつつ、歯ブラシのヘッドや刷毛部の向きや位置を変化させることができるので、より細かい歯ブラシ操作を安定した状態でより容易に行うことができ、歯磨き効率を向上させることができる。なお、ここでいう「指の当接面表面をずれる移動」とは、実際に挟持部と指の表面との間にずれが生ずる場合の他、指の表面は挟持部表面に対してずれていないが、指の末節骨の位置が挟持部の表面に対してずれており、指の加圧領域の中心点の、挟持部に対する位置がずれている場合を含むものとする。また、挟持部が板状であると、指操作のバリエーションが増えるので、より細かい操作が可能になるということができる。つまり、先に、指操作とは、例えば、指の各関節を屈伸させたり、指を揺動させたりして、指先の相互位置関係を変化させることによって歯ブラシのヘッドや刷毛部の向きや位置などの状態を操作するといった説明を行ったが、挟持部が板状の場合は、さらに、指先を挟持部表面でずらすように移動させることによって、指先の挟持部に対する相対位置を移動させるという指操作を行うことができる。
【００２３】
また、人差し指当接部としては、ヘッド側膨出部より後端側に位置する人差し指当接面を含むものでもよい。そして、当該人差し指当接面は、親指当接面と背側指当接面との間に位置していると共に凹形状面であるものが好ましい。このような人差し指当接面があると、当該当接面に安定した状態で対応する指を当接させることができる。つまり、凹形状面であると、指を当接させたとき、人差し指当接面によって人差し指がホールドされる状態になるので、安定した状態で歯ブラシを保持することができる。また、人差し指当接面が凹形状面であると、人差し指当接面に対する人差し指の指先の加圧領域の中心点の位置を移動させることで、歯ブラシのヘッドや刷毛部の向き等の状態をより容易に調整することができる。
【００２４】
また、ヘッド側膨出部は、当該ヘッド側膨出部から刷毛部の挟持部側端部までの距離が人差し指の先端から末節骨の後端位置までの長さより短くなる位置に形成されていることが好ましい。
【００２５】
このような形状であると、歯ブラシの長さは短いものになり、しかも歯ブラシのヘッドに近い位置に人差し指当接部が位置することになる。このように、人差し指当接部ひいては全ての指当接部と、歯ブラシの刷毛部との間の距離が短ければ、当該距離が長い場合に比べて、いわゆる小回りが利くので、歯ブラシの刷毛部を狙ったところに迅速かつ正確に当てることができ、しっかりとは磨きできると共に歯磨き効率を向上させることができる。
【実施例】
【００２６】
次に、本発明に係る実施形態の歯ブラシについて、図面を参照しつつ、詳細に説明する。
【００２７】
図１（ａ）に示されるように、歯ブラシ１０は、毛束１１が植毛されたヘッド１２と柄１３を備えており、これらが一体に形成された歯ブラシ本体１５を備えている。ヘッド１２と柄１３の間には細径の首部１４があり、ヘッド１２と柄１３は首部１４を介して一体に形成されている。
【００２８】
図１（ｂ）に示されるように、歯ブラシ１０のヘッド１２には、複数の毛束１１が植毛された前面１２Ｆと、その反対側の背面１２Ｂとがある。つまり、ヘッド前面１２Ｆには、複数の毛束１１からなる刷毛部１６が備えられている。
【００２９】
複数の毛束１１は、直毛であり、ヘッド１２の前面１２Ｆからほぼ同一の方向に延伸する状態で植毛されている。したがって、複数の毛束１１の集合である刷毛部１６の端面（先端面）１６Ｆは、ヘッド１２の前面１２Ｆ側にのみ形成されている。このような歯ブラシ１０で、歯磨きつまり歯や歯茎のブラッシングを行う場合、ヘッド１２の刷毛部１６の端面１６Ｆが歯や歯茎に当接する。このとき、ヘッド１２の前面側１２Ｆは歯や歯茎の側に向けられた状態になる。この状態でヘッド１２を毛束１１に交差する方向（たとえば歯ブラシ本体１５の長手方向など毛束１１と直交する方向）に移動させると、歯や歯ブラシをブラッシングすることができる。
【００３０】
柄１３は、薄板材１３Ｓからなるものであり、指で歯ブラシ１０を保持するときに用いられる挟持部３０を備えている。挟持部３０は、柄１３の前面側１３Ｆの表面である親指先当接部（親指当接面）３１と、背面側１３Ｂの表面である中指先当接部（背側当接面）３２と、両指先当接部３１，３２の間に位置する、人差し指先当接面（人差し指当接面。人差し指当接部の一部）３３とを有する。
【００３１】
このような構成の歯ブラシ１０は、親指先当接部３１に親指Ｆ１の指先の腹の部分（指掌側）を当接させると共に中指先当接部３２に中指Ｆ２の指先の腹の部分を当接させ、親指Ｆ１と中指Ｆ２の２本の指で柄１３の薄板材１３Ｓの部分を挟持するようにして保持することができる（図２参照）。つまり、薄板材１３Ｓの部分は柄１３の保持部として機能している。なお、ここで、指先とは、各指の末節骨に対応する部分及び当該部分よりも指先端側の部分のことである。
【００３２】
人差し指先当接面３３は、挟持部３０（薄板材１３Ｓ）の縁部に形成されている。より具体的に説明すると、挟持部３０の前面側の親指先当接部３１に親指先を当接させると共に背面側の中指先当接部３２に中指先を当接させて挟持部３０を保持した状態で人差し指先と対向する、薄板材の一方側の縁部に、人差し指先当接面３３は形成されている。さらに説明すれば、人差し指先当接面３３は、親指先当接部３１に当接された親指Ｆ１の尺骨側の側縁Ｆ１ｓ側（中指の橈骨側の側縁Ｆ２ｔ側）に位置する薄板材１３Ｓの縁部に形成されている。また、人差し指先当接面３３は、後述のヘッド側膨出部５１より後端側で、親指先当接部３１と中指先当接部３２との間に位置しているということができる。
【００３３】
そして、人差し指先当接面３３は凹形状になっている。より具体的に説明すると、人差し指先当接面３３は、柄１３の長手方向に延伸する断面であって毛束の延伸方向と直交している断面（Ａ−Ａ’断面）の断面形状が凹形状であるということである。すなわち図１（Ａ）に示される正面視での輪郭形状が凹形状になっている。
【００３４】
また、図１（Ｃ）に示されるように、人差し指先当接面３３の表面は、中指先当接部３２側下がり（背面側下がり）に傾斜している部分を有する。特に、人差し指先当接面３３の表面のうち人差し指先当接面３３の後端側位置（別言すれば、人差し指Ｆ３の末節骨の指掌面側であって中節骨寄りの位置）が当接する位置が傾斜していることが好ましい。このような形状にすると、指で歯ブラシ１０を保持したとき、より安定した状態で保持することができる。
【００３５】
このように、実施形態の歯ブラシ１０は、親指Ｆ１、人差し指Ｆ３および中指Ｆ２の３本の指で保持すると、より安定した状態で保持できる構造になっている。人差し指先当接面３３に人差し指Ｆ３を当てて、歯ブラシ１０を保持したとき、人差し指Ｆ３の位置（特に柄１３の長手方向の位置）が確実に定まり、より安定した状態で歯ブラシ１０を保持できる。
【００３６】
なお、挟持部３０の親指先当接部３１、人差し指先当接面３３および中指先当接部３２は、親指Ｆ１、人差し指Ｆ３および中指Ｆ２の指先が当接する面であり、より具体的に説明すると、これらの指先当接部や当接面３１，３２，３３は、対応する指の末節骨の位置の指掌面または、指掌面と指背面との間の指側面が当接する面である。特に、実施形態の歯ブラシ１０の親指先当接部３１、人差し指先当接面３３および中指先当接部３２は、保持に用いられる親指、人差し指および中指の末節骨の位置の指掌面が当接する面であるということができる。このように、指で挟持部を挟持するときに、全ての指の指掌面で挟持部３０を挟持すると、指側面を当接させる場合に比べて当接面積が大きいので、より安定した状態で歯ブラシを保持することができる。
【００３７】
また、各当接部や当接面３１，３２，３３（すなわち挟持部３０）は、柄１３の後端位置１３Ｔからの距離Ｌ０が人差し指Ｆ３の長さより短い位置に形成されている。挟持部３０の位置がこのような位置であると、歯ブラシ１０を手で持ったときに、柄１３の後端から挟持部３０までの部分を確実に手のひらの中に収めることができ、当該部分を手のひらで覆った状態で歯磨きを行うことができる。したがって、当該歯ブラシ１０は、公共スペースにおいて歯磨きを行うための歯ブラシとして好適である。
【００３８】
人差し指Ｆ３の長さＬ１は、たとえば、人差し指Ｆ３の先端から基節骨の後端位置までの長さＬ１として定義できる（図３（Ａ）参照）。そして、挟持部３０の位置は、たとえば挟持部３０の中央の位置で表される。本実施形態の歯ブラシ１０では、挟持部３０の位置は、凹形状の最も窪んだ位置３３Ｂで表されている。
【００３９】
ここでの窪みは、歯ブラシ１０の歯ブラシ本体１５の長手方向Ｄ１（図１（Ｃ）参照）に直交する方向Ｄ２の窪みである。また、最も窪んだ部分が所定長さある場合は、最も窪んだ部分のうち柄１３の後端１３Ｔから最も遠い位置を挟持部３０の位置（中央位置）とすることができる。また、中央位置としては、種々の表し方が考えられる。人差し指先当接面３３に当接された人差し指Ｆ３のもっとも押圧力が大きい位置に対応する位置を中央位置としてもよい。なお、柄１３の全長が人差し指Ｆ３の長さＬ１より短い場合、挟持部３０は、確実に、柄１３の後端位置１３Ｔからの距離が人差し指Ｆ３長さより短い位置に形成されていることになる。
【００４０】
挟持部３０は、柄１３の後端位置１３Ｔからの距離が人差し指Ｆ３の実質長さＬ２（図３（Ａ）参照）より短い位置に形成されていることがより好ましい。ここで、人差し指Ｆ３の実質長さＬ２とは、人差し指Ｆ３の先端から手のひらとの付け根の位置までの長さをいう。このような位置に挟持部３０があれば、挟持部３０から柄１３の後端の部分をより確実に、しかも容易に手のひらの中に収めることができる。この点を考慮すると、挟持部３０の柄１３の後端位置１３Ｔからの距離は、８０ｍｍ以下であり、６５ｍｍ以下が好ましく、５０ｍｍ以下がより好ましい。さらに、挟持部３０は、柄１３の後端位置１３Ｔからの距離が人差し指Ｆ３の先端から中節骨の後端位置までの長さＬ３より短くてもよい。この点を考慮すると、挟持部３０の柄１３の後端位置１３Ｔからの距離は、４０ｍｍ以下であり、３０ｍｍ以下が好ましく、２０ｍｍ以下がより好ましい。
【００４１】
また、挟持部３０は、柄１３の後端位置１３Ｔからの距離が人差し指Ｆ３の先端から末節骨の後端位置までの長さＬ４程度又は以上であることが好ましい。この程度の長さより短い場合、挟持部３０から柄１３の後端の部分を手の中に納めることができるが、十分な大きさの挟持部３０を確保することが容易でなくなる。この点を考慮すると、挟持部３０の柄１３の後端位置１３Ｔからの距離は、１０ｍｍ以上であり、１５ｍｍ以上が好ましい。
【００４２】
また、本実施形態の歯ブラシ１０は、図２に示されるように人差し指Ｆ３の先端を柄１３の先端位置近傍に位置させた状態で保持される。このとき、柄１３の長さは、歯磨きを行うために親指当接面３１及び背側指当接面３２に指を当接させて挟持部３０を保持した状態で柄１３の後端部が手の中に納まる長さである必要がある。つまり、柄１３の長さは、人差し指Ｆ３の長さＬ１以下がよいことになる。ここで、柄１３の長さとは、人差し指先当接面３３がある場合であって当該当接面３３のヘッド側の端部に段差などの境界がある場合は、柄１３の後端位置１３Ｔから当該境の位置までの長さであるということができ、人差し指当接部の一部としてヘッド側膨出部５１がある場合は、柄１３の後端位置１３Ｔからヘッド側膨出部５１の頂点の位置までの長さであるということができ、首部１４がある場合は、柄１３の後端位置１３Ｔから首部１４との境界位置までの長さであるということができる。つまり、指で柄１３を保持したときに、指の先端が位置する位置から後端位置１３Ｔまでの距離を柄１３の長さとしていると言うことができる。したがって、成人の人差し指Ｆ３の長さＬ１を考慮すれば、柄１３の長さとしては、１００ｍｍ以下が考えられ、７０ｍｍ以下がより良いといことになる。また、より確実に柄１３が手の中に納まるという点で、柄１３の長さは、人差し指Ｆ３の先端から中節骨後端位置までの長さＬ３以下がよい。この点を考慮すると、柄１３の長さは、６０ｍｍ以下が好ましく、５５ｍｍ以下より好ましく、さらには５０ｍｍ以下が好ましい。他方、人間の指先は、器用であるので、柄１３の長さが１０ｍｍ程度あれば、人間は歯ブラシを保持できる。この点でいえば、柄１３の長さとしては、１０ｍｍ以上が考えられ、２０ｍｍ以上が好ましい。また、指の腹の部分全体（あるいは指先端から末節骨の後端位置まで）を挟持部３０に密着させた状態で柄１３を挟持部３０を保持すれば、歯ブラシ１０をよりしっかりと保持することができる。この点を考慮すれば、柄１３の長さは、２５ｍｍ以上が好ましく、３０ｍｍ以上がより好ましい。なお、女性用や子供用等を考慮したものにおいては、４５ｍｍ以下や４０ｍｍ以下などが好ましい場合がある。
【００４３】
このような歯ブラシでは、親指Ｆ１、人差し指Ｆ３および中指Ｆ２を用いて歯ブラシ１０を保持したときに、柄１３の挟持部３０から後端までの部分全体を手の中に収めることができ、目立たない状態で歯磨きを行うことができる。したがって当該歯ブラシ１０は、公共スペースにおいて歯磨きを行うための歯ブラシとして好適である。
【００４４】
そして、挟持部３０の位置よりも柄１３の後端側の位置には、後端側膨出部４１が形成されている。より具体的には、図１（Ａ）に示されるように、人差し指先当接面３３の後端側に後端側膨出部４１が形成されている。
【００４５】
後端側膨出部４１は、人差し指Ｆ３の中節骨の位置の指掌面（図３参照）を当接させることが可能な中節位置膨出面４１ａと、基節骨の位置の指掌面を当接させることが可能な基節位置膨出面４１ｂとを備えている。そして、基節位置膨出面４１ｂは、前記柄１３の後端の位置に形成される後端面である。
【００４６】
このような後端側膨出部４１があると、中節位置膨出面４１ａに人差し指Ｆ３の中節骨の位置の指掌面を当接させ、さらに基節位置膨出面４１ｂに基節骨の位置の指掌面を当接させた状態で歯ブラシ１０を保持することができる（図２（Ｃ）参照）。つまり、人差し指Ｆ３の指掌面を自然な状態で広く柄１３に密着させて歯ブラシ１０を保持することができるので、人差し指の柄との接触面積が広くなり、歯ブラシ１０を安定した状態で保持することができる。このような保持状態になるのは、図４に示されるような姿勢で歯ブラシを保持するときである。つまり、脇をしめ、肘を体に寄せた状態で歯ブラシを保持することができる。また、このような保持状態であれば、歯ブラシ１０を、柄１３の長手方向後端側に移動させるときに、人差し指Ｆ３が後端側膨出部にしっかりと当接する状態が確保され、安定した状態で、柄の長手方向後端側に移動させることができる。
【００４７】
なお、ここでは、挟持部３０よりも後端側の部分を柄１３の後端部という。つまり、後端側膨出部４１は、ここでいう後端部である。また、挟持部３０を後端部の一部に含めてもよい。柄の長さや挟持部の位置によっては、挟持部３０の一部または全部が後端部に含まれる場合がある。
【００４８】
また、挟持部３０の位置よりも柄１３のヘッド１２側の位置には、ヘッド側膨出部（人差し指当接部の一部）５１が形成されている。より具体的には、図１（Ａ）に示されるように、ヘッド側膨出部５１は、親指先当接部３１に親指Ｆ１の指先を当接させると共に中指先当接部３２に中指Ｆ２の指先を当接させたときに人差し指Ｆ３と相対向する一方側の縁部であって、人差し指Ｆ３の指先を当接させることが可能な位置に形成されている。また、ヘッド側膨出部５１は、人差し指先当接面３３のヘッド１２側の位置に形成されているということができる。ヘッド側膨出部５１があると、ヘッド側膨出部５１に人差し指Ｆ３を当接させた状態で、人差し指Ｆ３からヘッド側膨出部５１に加える力の大きさや向きを調整することによって、歯ブラシのヘッドや刷毛部の向きや位置などの状態を調整する操作を容易に行うことができる。
【００４９】
ヘッド側膨出部５１は、本実施形態のように、ヘッド側膨出部５１から刷毛部１６の挟持部側端部までの首部距離Ｌｎが人差し指Ｆ３の先端部Ｆ３ａから人差し指Ｆ３の末節骨の後端位置までの長さＬ４（図３（Ａ）参照）より短くなる位置に形成されていることが好ましい。なお、このとき、ヘッド側膨出部５１の位置は、最も突出した頂点の位置を基準に定められている。ヘッド側膨出部５１の位置としては、ヘッド１２の近い位置が好ましいが、刷毛部１６の横の位置になると、歯磨きのためにヘッド１２を口腔内に入れたときに、ヘッド側膨出部５１ひいてはヘッド側膨出部５１に当接させた人差し指Ｆ３の指先が口腔内に入ることになる。従って、ヘッド側膨出部５１の位置としては、刷毛部１６の後端側が好ましい。具体的には、長さＬ４を考慮すれば、ヘッド側膨出部５１から刷毛部１６の挟持部側端部までの首部距離Ｌｎは、０ｍｍ以上３０ｍｍ以下であり、２５ｍｍ以下が好ましく、２０ｍｍ以下がより好ましい。また、女性用や子供用等をも考慮すれば、１５ｍｍ以下が好ましく、１０ｍｍ以下がより好ましいこともある。このように、ヘッド側膨出部５１の位置がヘッド１２特にヘッド１２の刷毛部１６に近い位置であると、ヘッド側膨出部５１を用いてヘッド１２や刷毛部１６の向きや位置の状態を調整する操作を行うときに、より細かい操作を行うことができる。
【００５０】
そして、ヘッド側膨出部５１は、人差し指Ｆ３の先端部Ｆ３ａ（図３（Ｂ）参照）を当接させることが可能な先端位置膨出面５１ａを備えている。つまり、ヘッド側膨出部５１は、歯ブラシ１０の前後方向に広がりをもって形成されている。ここで、指（人差し指Ｆ３）の先端部Ｆａ（Ｆ３ａ）とは、爪Ｎの最も幅広の位置Ｎｗよりも指の先端側の部分ということができ（図２（Ｂ）、図３（Ｂ）参照）、さらに言えば、指の長手方向先端側に最も突出した位置Ｆｂ（Ｆ３ｂ）や指の末節骨の軸線と指の先端側表面との交点位置Ｆｃ（Ｆ３ｃ）の片方あるいは両方を含む部分ということもできる。先端位置膨出面５１ａに人差し指Ｆ３の先端部Ｆ３ａを当接させることで、人差し指Ｆ３の指掌面（図３参照）全面を自然な状態で柄１３に密着させて、ヘッド側膨出部５１に力を加えることができ、歯ブラシ１０のヘッド１２や刷毛部１６の向きなどの状態を調整する操作を行うことができると共に安定した状態で歯ブラシを保持することができる。
【００５１】
次に、このような歯ブラシ１０を保持した状態について説明する。
【００５２】
実施形態の歯ブラシ１０は、たとえば、図２（Ａ）（Ｂ）に示されるような状態で保持される。
【００５３】
図示されるように、親指Ｆ１、人差し指Ｆ３および中指Ｆ２を用いて歯ブラシ１０を保持すると、柄１３の挟持部３０から後端１３Ｔまでの部分全体が手の中に収まり、手に覆われた状態になる。したがって、当該歯ブラシ１０を用いれば、歯ブラシ１０の存在が目立たない状態で歯磨きを行うことができる。歯ブラシ１０が目立たなければ、歯磨き行為が行われていることが他者に気づかれにくくなる。このように、実施形態の歯ブラシ１０は、公共スペースにおいて歯磨きを行うための歯ブラシとして好適である。
【００５４】
保持状態をより具体的に説明すると、親指Ｆ１を柄１３（図１参照）の挟持部３０の親指先当接部３１に当接させると共に、中指Ｆ２を柄１３の挟持部３０の中指先当接部３２に当接させ、柄１３の挟持部３０を挟持する状態で保持する。このとき、各指先当接部３１，３２には、親指Ｆ１や中指Ｆ２の指先（より具体的には、末節骨の位置）の指掌面または指側面が当接する。
【００５５】
そして、親指Ｆ１および中指Ｆ２の指先を親指先当接部３１および中指先当接部３２に当接させて挟持部３０を挟持すると、親指の位置に対する歯ブラシのヘッドや刷毛部の向きが定まる。特に、挟持部３０が板状の部材からなるものである場合、親指先当接部３１および中指先当接部３２の表面は平面である部分を有しているので、親指の位置に対する歯ブラシのヘッドや刷毛部の向きが安定し、しっかりと保持することができる。なお、平面部分でなくても、凹形状の部分を有するものでも、安定的に挟持することができる。柄１３の部分を挟持する状態で保持することができれば、歯ブラシ１０の保持状態が安定し、しかも、歯ブラシ１０のヘッド１２の向きなどの状態を微妙に調整することが可能になる。したがって、歯磨き効率が向上する。
【００５６】
そして、親指Ｆ１や中指Ｆ２の指先で挟持部３０を挟持する構造であるので、細かい動きをさせることができるという指先の特徴を、挟持部３０の安定保持や歯ブラシ１０のヘッド１２や刷毛部１６の状態の調整のために利用することができる。つまり、指で挟持部３０を挟むことで安定した状態で歯ブラシ１０を保持することができるが、さらに指の状態を細かく調整することで、歯ブラシ１０を安定して保持する状態を確実に維持することができる。また、挟持部３０を挟持している親指Ｆ１と中指Ｆ２の指操作を行うことによって、歯ブラシのヘッド１２や刷毛部１６の向きや位置などの状態を容易に調整することができる。
【００５７】
そして、親指Ｆ１と中指Ｆ２とで挟持部３０を挟持した後、人差し指Ｆ３を人差し指先当接面３３やヘッド側膨出部５１に当接させる。人差し指Ｆ３を用いることで、歯ブラシ１０をより安定した状態で保持したり、歯ブラシ１０のヘッド１２の向きを微調整したりすることができる。具体的には、人差し指先当接面３３やヘッド側膨出部５１における人差し指Ｆ３を当接させる位置を調整したり、当接させた人差し指Ｆ３からの力の大きさや向きを調整することによって、歯ブラシ１０のヘッド１２や刷毛部１６の向きや位置などを調整したりすることができる。なお、本実施形態の歯ブラシ１０の人差し指先当接面３３は、柄１３の延伸方向Ｄ１（図１（Ａ）参照）の断面形状が凹形状であるので、人差し指Ｆ３の指先（末節骨の位置の指掌面）を当接させたときに、人差し指Ｆ３の指先を安定した状態で当接させやすく、また人差し指Ｆ３と柄１３との接触面積がより広くなり、より安定した状態で歯ブラシ１０を保持することができる。例えば、歯ブラシ１０を、柄１３の長手方向ヘッド１２側に移動させるときに、指がヘッド側膨出部５１にしっかりと当接する状態が確保され、安定した状態で、柄１３の長手方向ヘッド１２側に移動させることができる。また、人差し指先当接面３３が凹形状であれば、平面形状である場合に比べて、人差し指Ｆ３の当接位置を移動させるようなときに、指の動きがより小さい動きですむようになる。したがって、より小さい指操作（より小さい指の動き）で、歯ブラシのヘッド１２や刷毛部１６の向きや位置などの状態を容易に調整することができる。
【００５８】
このように、本実施形態の歯ブラシ１０では、親指Ｆ１と中指Ｆ２との位置関係を変化させることにより、さらには、人差し指Ｆ３の力加減によって、歯ブラシ１０のヘッド１２の向きを容易に微調整することができ、両作用を組み合わせることによって、さらに微妙な調整を行うことができる。
【００５９】
そして、本実施形態の歯ブラシ１０では、さらに、次のような状態で歯ブラシ１０を保持することもできる。
【００６０】
つまり、親指Ｆ１を柄１３（図１参照）の挟持部３０の親指先当接部３１に当接させ、また中指Ｆ２を中指先当接部３２に当接させ、そして人差し指Ｆ３を人差し指先当接面３３に当接させて保持する状態で、さらに、人差し指Ｆ３の中節骨の位置の指掌面を後端側膨出部４１の中節位置膨出面４１ａに当接させることができる。
【００６１】
人差し指Ｆ３の中節骨の位置の指掌面を中節位置膨出面４１ａに当接させると、人差し指Ｆ３の指掌面を広く柄１３に密着させることができるので、より安定した状態で歯ブラシ１０を保持することができる。
【００６２】
また、さらに、人差し指Ｆ３の基節骨の位置の指掌面を後端側膨出部の基節位置膨出面４１ｂに当接させることができる。人差し指Ｆ３の基節骨の位置の指掌面を基節位置膨出面４１ｂに当接させると、人差し指Ｆ３の指掌面をさらに広く柄１３に密着させることができるので、さらに安定した状態で歯ブラシ１０を保持することができる。
【００６３】
なお、図２（Ｃ）に示されるように、基節位置膨出面４１ｂが柄１３の後端を含む位置であると、柄１３の２側面に人差し指Ｆ３の指掌面を当接させて柄１３を包むように保持することができるので、さらに歯ブラシ１０を安定した状態で保持することができる。たとえば、柄１３の後端を人差し指Ｆ３に突き当てることができ、このような状態で保持すれば、柄１３の延伸方向位置が安定し、歯ブラシ１０の保持状態が安定する。
【００６４】
そして、親指Ｆ１を柄１３（図１参照）の挟持部３０の親指先当接部３１に当接させ、また中指Ｆ２を中指先当接部３２に当接させ、そして人差し指Ｆ３を人差し指先当接面３３に当接させて保持する状態で、さらに、人差し指Ｆ３の先端部Ｆ３ａを、ヘッド側膨出部５１の先端位置膨出面５１ａに当接させることができる。人差し指Ｆ３の先端部Ｆ３ａをヘッド側膨出部５１の先端位置膨出面５１ａに当接させると、人差し指Ｆ３がヘッド側に滑って位置ズレが生ずるようなことがより確実に防止される。
【００６５】
次に、歯ブラシ１０の操作について説明する。
【００６６】
本実施形態の歯ブラシ１０では、たとえば図４に示されるように、脇をしめた状態で歯ブラシ１０を保持することができる。つまり、パームグリップ法で歯ブラシを握って肘がはった状態の姿勢に比べ、肘を内側に折り畳んだ状態で歯磨きをすることができる。図４に示される姿勢はコンパクトな姿勢であり、他者から見られても目立たない姿勢である。したがって、このような姿勢で保持することができる歯ブラシ１０は、公共のスペースで歯磨きをするための歯ブラシとして好適である。また、図４に示される歯ブラシ保持状態は、腕の状態が極めて楽な状態である。したがって、歯磨きをする姿勢として好適である。つまり、本実施携帯の歯ブラシ１０は、楽な状態での歯磨きを実現できる歯ブラシである。
【００６７】
他方、パームグリップ法で歯ブラシを握ると、上述したように脇が開いた状態になり、他者から見たときに目立つ姿勢になる。したがって、公共のスペースでの歯磨き用に用いる歯ブラシとしては不向きである。また、肘が上がった状態であるので、楽な姿勢ではなく、楽に歯磨きを行うには不向きである。
【００６８】
また、ペングリップ法で歯ブラシを握った場合、脇はしめた状態になるが、実際に歯磨きを行う場合、肘を内側に入れた窮屈な姿勢になる。この姿勢も楽な姿勢ではなく、歯磨きの姿勢として不向きであるといえる。
【００６９】
そして、図１に示される歯ブラシ保持状態であれば、指先のほんの一部を動作させるだけで、歯ブラシ１０を揺動方向Ｄ２（つまり歯の表面に対して平行）に揺動させることができる。また、手首を揺動させることで、歯ブラシ１０をその長手方向Ｄ１に進退往復移動させることができる。さらに、上述したように、本実施形態の歯ブラシ１０によれば、親指Ｆ１と中指Ｆ２との位置関係を変化させたり、人差し指当接面３３やヘッド側膨出部５１に当接させた人差し指Ｆ３の力加減を行うことで歯ブラシ１０のヘッド１２の向きを容易に微調整することができる。つまり、本実施形態の歯ブラシ１０を用いれば、小さい動作で歯ブラシ１０を操作することができる。小さい動作でよければ、歯磨き行為が目立ちにくく、やはり公共のスペースで歯磨きをするための歯ブラシとして好適である。
【００７０】
これに対し、パームグリップ法やペングリップ法で歯ブラシを握った状態で、歯ブラシを歯面に対して平行に揺動させるためには、腕全体を動かす必要があり、より大きな動作が必要である。このような大きな動作は、極めて目立つ動作である。
【００７１】
本実施形態の歯ブラシ１０のように、小さな動きで歯ブラシ１０を操作できれば、歯磨き動作が目立たない。また、職場やレストランの洗面所などでは、隣に人が立つことも考えられるが、本実施形態の歯ブラシ１０を用いれば、コンパクトな姿勢で歯ブラシを持つことができ、しかも、極めて小さい動作で歯ブラシ１０を操作することができるので、隣の人に迷惑がかかることがない。このような点でも、本実施形態の歯ブラシ１０は、公共のスペースでの歯磨きに用いる歯ブラシとして好適である。
【００７２】
また、安定した状態で操作性よく保持することができ、しかも小さな動きで操作できる歯ブラシ１０は、歯や歯茎の表面の細かい掃除に適しているということができる。
【００７３】
なお、歯の細かい部分を掃除する歯ブラシ１０としては、たとえば、歯間ブラシがあるが、歯間ブラシは、そのブラシ部分を歯間に入れた状態で進退移動させて用いるものである。つまり、ブラシは、歯に挟まれるような状態で支持されており、しかも、ブラシ操作は進退移動だけでよく、細かい操作は不要である。したがって、歯間ブラシでは、柄の形状が問題になることはなく、どんな形状であってもブラシを安定した状態で容易に保持することができる。
【００７４】
これに対し、毛束が平行に配置された刷毛部を有する歯ブラシでは、刷毛部を適当な押圧力で歯や歯茎の表面に当てた状態で、上下動、左右動さらには回転させるなど、細かい操作をする必要があるので、歯ブラシの柄は、安定した状態で保持できるものである必要がある。この点、本実施形態の歯ブラシ１０は、安定した状態で操作性よく保持することができるので、小さな動きで操作でき、歯や歯茎の表面の細かい掃除に適しているということができる。
【００７５】
ところで、公共のスペースで歯磨きを行う目的としては、通常の歯磨き同様、口腔内全域をきれいにしたいという目的のほかに、最小限の手入れを短時間で行いたいという目的がある。たとえば、食事の際に歯や歯茎の表面に付着した付着物（たとえば海苔やネギなど）だけでも除去しておきたいといった場合である。
【００７６】
このような場合に本実施形態の歯ブラシ１０であれば、歯や歯茎の表面をブラッシングすることができ、しかも、細かい操作を容易に行うことができるので、付着物を迅速かつ確実に除去することができる。
【００７７】
また、最小限の手入れをしたいという場合の掃除範囲は、通常の歯磨きに比べて狭い範囲になる。一例として、他者との会話において他者から見える範囲を挙げることができる。この場合、掃除範囲は、口の前側の部分だけである。
【００７８】
本実施形態の歯ブラシ１０は、歯ブラシ本体の部分が短いので、口腔内の奥の方にはとどきにくいが、口の前側の部分については、細かい操作を行うことによって迅速かつ確実に掃除を行うことができるものであり、極めて適した歯ブラシであるということができる。
【００７９】
なお、本願の発明は、以上の実施例に限定されず、その要旨を逸脱しない範囲において、種々の変形が可能である。
【００８０】
例えば、上記実施例では、挟持部の指先当接部のうち、人差し指先当接面の表面が凹形状であるが、さらに、親指先当接部と人差し指先当接部の少なくともいずれか一方又は両方の表面が凹形状であってもよい。このように、複数の指先当接面を凹形状にすれば、指で柄の挟持部を挟持したときに、歯ブラシの保持状態がより安定し、歯磨きを行いやすくなり、歯磨き効率が向上する。また、複数の指先当接面を凹形状にすれば、指操作を行って歯ブラシのヘッドや刷毛部の向きや位置などの状態を調整するとき、調整量が同じでも、当接面形状が平面形状の場合に比べて、指の動きがより小さくてよくなる。
【００８１】
そして、凹形状としては種々の態様が考えられる。たとえば、指先当接部について、歯ブラシ本体の柄の長手方向に延伸し、かつ、毛束の延伸方向と直交する向きの断面を見た場合に、当該断面形状が凹形状である場合と、歯ブラシ本体の柄の長手方向と直交する向きの断面を見た場合に、指先当接部断面形状が凹形状である場合と、いずれの断面形状もが凹形状である場合とがある。
【００８２】
また、上記実施例では、人差し指先当接面の後端側に、後端側膨出部が形成されているが、さらに、親指先当接部と人差し指先当接部の少なくともいずれか一方又は両方の後端側にも、後端側膨出部を形成してもよい。このように、複数の指先当接部の後端側に後端側膨出部が形成されていると、より安定した状態で歯ブラシを保持できる。
【００８３】
人差し指先当接面の後端側の後端側膨出部としては、人差し指先当接面に指先が当接された人差し指の中節骨の位置の指掌面を当接させることが可能な中節位置膨出面と、当該人差し指の基節骨の位置の指掌面を当接させることが可能な基節位置膨出面とを備えているものでもよい。人差し指の中節骨の位置の指掌面を当接させることが可能な中節位置膨出面および人差し指の基節骨の位置の指掌面を当接させることが可能な基節位置膨出面を備えると、人差し指の指掌面を自然な状態で広く柄に密着させることができるようになり、歯ブラシをさらに安定した状態で保持することができる。
【００８４】
基節位置膨出面は、前記柄の後端を含む位置に形成されていてもよい。このような構成であれば、人差し指の基節骨位置の指掌面に柄の後端を当接させた状態で歯ブラシを保持できる。つまり、人差し指の指掌面によって柄を包むような状態で歯ブラシを保持することができる。このような状態で歯ブラシを保持できれば、さらに歯ブラシの保持状態が安定する。また、柄の後端を手のひらなどに突き当てることにより、突き当てた柄の後端を支点として歯ブラシをピポッド運動させるという操作を行えるようにしてもよい。
【００８５】
また、上記実施例では、人差し指先当接面のヘッド側に、ヘッド側膨出部が形成されているが、さらに、親指先当接部と人差し指先当接部の少なくともいずれか一方又は両方のヘッド側に、ヘッド側膨出部を形成してもよい。このように、複数の指先当接部のヘッド側にヘッド側膨出部が形成されていると、より安定した状態で歯ブラシを保持できると共に、歯ブラシのヘッドや刷毛部の向きや位置などの調整をより容易に行うことができる。
【図面の簡単な説明】
【００８６】
【図１】（Ａ）は、本発明に係る実施形態の歯ブラシの正面図であり、（Ｂ）は、平面図であり、（Ｃ）は、（Ａ）に示されたＢ−Ｂ’面についての断面図である。
【図２】（Ａ）は、歯ブラシを保持した状態を示す正面図であり、（Ｂ）は、（Ａ）の状態を示す平面図であり、（Ｃ）は、別態様の保持状態を示す正面図である。
【図３】（Ａ）は、右手を示す平面図であり、（Ｂ）は人差し指を示す側面図である。
【図４】歯ブラシを持った状態の人を示す正面図である。
【符号の説明】
【００８７】
１０  …歯ブラシ、１１…毛束、１２…ヘッド、      １３…柄、
１３Ｓ…薄板材、  １４…首部、１５…歯ブラシ本体、１６…刷毛部、
３０…挟持部、
３１…親指先当接部（親指当接面、前面側表面）、
３２…中指先当接部（背側指当接面、背面側表面）、
３３…人差し指先当接面（人差し指当接面。人差し指当接部の一部）、
３３Ｂ…最も窪んだ位置、
４１…後端側膨出部、４１ａ…中節位置膨出面、  ４１ｂ…基節位置膨出面、
５１…ヘッド側膨出部（人差し指当接部の一部）、５１ａ…先端位置膨出面、
Ｆ１…親指、        Ｆ１ｓ…親指の尺骨側の側縁、
Ｆ２…中指、        Ｆ２ｔ…中指の橈骨側の側縁、
Ｆ３…人差し指、    Ｆ３ａ…人差し指の先端部、
Ｌ０…柄後端からの挟持部距離、
Ｌ１…人差し指長さ、
Ｌ２…人差し指の実質長さ、
Ｌ３…人差し指先端から中節骨後端位置までの長さ、
Ｌ４…人差し指先端から末節骨の後端位置までの長さ、
Ｌｎ…ヘッド側膨出部から刷毛部の挟持部側端部までの首部距離
【図１】
0004471233.tif 000002
【図２】
0004471233.tif 000003
【図３】
0004471233.tif 000004
【図４】
0004471233.tif 000005